(57)【要約】  【課題】ランナ用レールとして汎用品を使用することができ、かつ折戸を完全に折畳んでコンパクトに収納した際には角度保持装置が完全に外部から隠蔽され見栄えが良好となる間仕切り折戸を提供する。  【解決手段】角度保持装置１０は、扉６に固定されるベース部材１１と、このベース部材１１に対して鉛直軸回りに揺動可能に設けられた衝合アーム部材１３と、前記衝合アーム部材１３を外方に向けて付勢し突出状態に保持するためのバネ部材１２とから構成され、前記角度保持装置１０を前記折戸１を構成する双方の扉６，６に夫々設け、折戸１の移動時に折り畳んだ際、前記衝合アーム部材１３，１３同士が当接することにより、折戸１は平面視でＶ字状の折れ角状態を保持し、前記折戸１の折畳み収納時に前記衝合アーム部材１３，１３が当接状態のまま前記バネ部材１２の付勢力に抗して夫々扉６側に没入するようにする。【選択図】図７
2005179991.tif 000002
【特許請求の範囲】
【請求項１】
少なくとも天井側に配置された走行レールに沿って案内されるランナによって支持されるとともに、ヒンジ部材により折畳み自在に連結された二枚一組の扉からなる折戸とされ、前記折戸を折り畳んで移動させる際に、平面視でＶ字状の折れ角状態に保持することができる角度保持装置が備えられた間仕切り折戸において、
前記角度保持装置は、前記扉に固定されるベース部材と、このベース部材に対して鉛直軸回りに揺動可能に設けられた衝合アーム部材と、前記衝合アーム部材を外方に向けて付勢し突出状態に保持するためのバネ部材とから構成され、
前記角度保持装置を前記折戸を構成する双方の扉に夫々設け、折戸の移動時に折り畳んだ際、前記衝合アーム部材同士が当接することにより、折戸は平面視でＶ字状の折れ角状態を保持し、前記折戸の折畳み収納時に前記衝合アーム部材が当接状態のまま前記バネ部材の付勢力に抗して夫々扉側に没入することを特徴とする間仕切り折戸。
【請求項２】
前記衝合アーム部材の当接部分に樹脂製ブロック又は樹脂製キャップを設けてある請求項１記載の間仕切り折戸。
【請求項３】
前記角度保持装置は、各扉の上面及び／又は下面に切欠き部を設け、該切欠き部に収容されている請求項１記載の間仕切り折戸。
【請求項４】
前記ランナはレール走行部材のレール方向寸法が前記扉の厚み寸法以下とされ、かつ前記ヒンジ部材は扉の折り畳み時に扉同士をほぼ密着させ得るものとされる請求項１〜３いずれかに記載の間仕切り折戸。
【請求項５】
少なくとも天井側に配置された走行レールに沿って案内されるランナによって支持されるとともに、ヒンジ部材により折畳み自在に連結された二枚一組の扉からなる折戸とされ、前記折戸を折り畳んで移動させる際に、平面視でＶ字状の折れ角状態に保持することができる角度保持装置が備えられた間仕切り折戸において、
前記角度保持装置は、前記扉に固定されるベース部材と、このベース部材に対して鉛直軸回りに揺動可能に設けられた衝合アーム部材と、前記衝合アーム部材を外方に向けて付勢し突出状態に保持するためのバネ部材とから構成され、
前記角度保持装置を前記折戸を構成する一方の扉に設け、折戸の移動時に折り畳んだ際、前記衝合アーム部材が他方の扉面に当接することにより、折戸は平面視でＶ字状の折れ角状態を保持し、前記折戸の折畳み収納時に前記衝合アーム部材が前記バネ部材の付勢力に抗して扉側に没入することを特徴とする間仕切り折戸。
【請求項６】
ヒンジ部材により折畳み自在に連結された二枚一組の間仕切り用折戸を、折り畳んで移動させる際に、平面視でＶ字状の折れ角状態に保持するために前記折戸を構成する扉に設けられる角度保持装置であって、
前記角度保持装置は、前記扉に固定されるベース部材と、このベース部材に対して鉛直軸回りに揺動可能に設けられた衝合アーム部材と、前記衝合アーム部材を外方に向けて付勢し突出状態に保持するためのバネ部材とから構成されることを特徴とする間仕切り用折戸の角度保持装置。
【発明の詳細な説明】
【技術分野】
【０００１】
本発明は、折戸を折り畳んで移動させる際に、平面視でＶ字状の折れ角状態に保持することができる角度保持装置が設けられた間仕切り折戸及びその角度保持装置に関する。
【背景技術】
【０００２】
従来より、室内空間を使用状況に応じて分割するために間仕切りが用いられている。この間仕切りの多くは、走行レールを天井側（場合によっては床側にも）に配し、この走行レールに沿って走行自在のランナを設けるとともに、ランナに支持される間仕切り戸を備えたものである。この間仕切り戸においては、各扉毎に一対のランナが設けられ、そのまま平行的に移動可能になっているものと、ヒンジ部材により二枚の扉が開閉自在に連結された折戸形式（間仕切り折戸）となっているものとがある。
【０００３】
これらのうち、後者の間仕切り折戸においては、折戸を折り畳んで移動させる際に、二枚の扉が完全に重なるように折り畳まれると、移動が不安定となるため、平面視でＶ字状の折れ角状態を保持するための角度保持装置が設けられることがある。
【０００４】
例えば、図１１〜図１３に示される角度保持装置５１は、天井側に間仕切り折戸５０のランナ５４Ａ，５４Ｂが走行するランナ用走行レール５６に平行して移動ブロック用走行レール５７を設けておき、前記移動ブロック用走行レール５７に対して、移動可能な移動ブロック５２Ａ，５２Ｂを配設するとともに、これら両移動ブロック５２Ａ，５２Ｂ間にコイルバネ５３を跨設した角度保持装置５１を設けるとともに、一方の移動ブロック５２Ａを一方側ランナ５４Ａの切欠き部５４ａに係合させ一体的に走行可能としておき、図１２に示されるように、折戸５０を移動させるために折り畳むと、他方側ランナ５４Ｂの突部５４ｂが前記移動ブロック５２Ｂに当接し、折戸５０を平面視でＶ字状の折れ角状態に保持するようになっている。また、前記角度保持装置５１は、折戸５０を完全に折畳んでコンパクトに収納する際には、前記コイルバネ５３の付勢力に抗して扉同士が完全に重なるように折畳みできるようになっている。
【発明の開示】
【発明が解決しようとする課題】
【０００５】
しかしながら、前記角度保持装置５１の場合には、ランナ５４Ａ，５４Ｂが走行するランナ用走行レール５６に平行して移動ブロック用走行レール５７を設ける必要があり、レールの断面が特殊となり汎用のランナレールを使用できないとともに、寸法が大きくなるため、コストが嵩む、納まりが悪いなどの問題があった。また、折戸５０を完全に折畳んでコンパクトに収納した際に、図１３に示されるように、コイルバネ５３が外側に突出することになり、収納性及び見栄えが悪いなどの問題があった。
【０００６】
そこで本発明の主たる課題は、ランナ用レールとして汎用品を使用することができ、かつ折戸を完全に折畳んでコンパクトに収納した際には角度保持装置が完全に外部から隠蔽され見栄えが良好となる間仕切り折戸及びその角度保持装置を提供することにある。
【課題を解決するための手段】
【０００７】
前記課題を解決するために請求項１に係る本発明として、少なくとも天井側に配置された走行レールに沿って案内されるランナによって支持されるとともに、ヒンジ部材により折畳み自在に連結された二枚一組の扉からなる折戸とされ、前記折戸を折り畳んで移動させる際に、平面視でＶ字状の折れ角状態に保持することができる角度保持装置が備えられた間仕切り折戸において、
前記角度保持装置は、前記扉に固定されるベース部材と、このベース部材に対して鉛直軸回りに揺動可能に設けられた衝合アーム部材と、前記衝合アーム部材を外方に向けて付勢し突出状態に保持するためのバネ部材とから構成され、
前記角度保持装置を前記折戸を構成する双方の扉に夫々設け、折戸の移動時に折り畳んだ際、前記衝合アーム部材同士が当接することにより、折戸は平面視でＶ字状の折れ角状態を保持し、前記折戸の折畳み収納時に前記衝合アーム部材が当接状態のまま前記バネ部材の付勢力に抗して夫々扉側に没入することを特徴とする間仕切り折戸が提供される。
【０００８】
上記請求項１記載の本発明によれば、間仕切り折戸を構成する各扉に、ベース部材と、このベース部材に対して鉛直軸回りに揺動可能に設けられた衝合アーム部材と、前記衝合アーム部材を外方に向けて付勢し突出状態に保持するためのバネ部材とから構成される角度保持装置が設けられる。従って、天井側に配設される部材としてはランナ用走行レールのみで良いため、汎用のランナレールを使用することができる。
【０００９】
前記角度保持装置は、折戸の移動時に折り畳んだ際、前記衝合アーム部材同士が当接することにより、折戸は平面視でＶ字状の折れ角状態を保持するため、折戸を安定的に移動できるようになる。また、前記折戸を折畳んで収納する場合には、前記衝合アーム部材が当接状態のまま前記バネ部材の付勢力に抗して夫々扉側に没入するようにしたため、折戸がコンパクトに収納できるとともに、前記角度保持装置は、完全に外部から隠蔽されるため見栄えも良好となる。
【００１０】
請求項２記載の本発明として、前記衝合アーム部材の当接部分に樹脂製ブロック又は樹脂製キャップを設けてある請求項１記載の間仕切り折戸が提供される。
【００１１】
請求項２記載の本発明においては、前記アーム部材の当接部分に樹脂製ブロック又は樹脂製キャップを設けるようにした。従って、当接または摺接による不快な擦音を防止できるようになる。
【００１２】
請求項３記載の本発明として、前記角度保持装置は、各扉の上面及び／又は下面に切欠き部を設け、該切欠き部に収容されている請求項１記載の間仕切り折戸が提供される。
【００１３】
請求項３記載の本発明においては、各扉の上面及び／又は下面に切欠き部を設け、該切欠き部に角度保持装置を収容するようにしたため、角度保持装置の納まりも良好となる。
【００１４】
請求項４記載の本発明として、前記ランナはレール走行部材のレール方向寸法が前記扉の厚み寸法以下とされ、かつ前記ヒンジ部材は扉の折り畳み時に扉同士をほぼ密着させ得るものとされる請求項１〜３いずれかに記載の間仕切り折戸が提供される。
【００１５】
請求項５記載の本発明として、少なくとも天井側に配置された走行レールに沿って案内されるランナによって支持されるとともに、ヒンジ部材により折畳み自在に連結された二枚一組の扉からなる折戸とされ、前記折戸を折り畳んで移動させる際に、平面視でＶ字状の折れ角状態に保持することができる角度保持装置が備えられた間仕切り折戸において、
前記角度保持装置は、前記扉に固定されるベース部材と、このベース部材に対して鉛直軸回りに揺動可能に設けられた衝合アーム部材と、前記衝合アーム部材を外方に向けて付勢し突出状態に保持するためのバネ部材とから構成され、
前記角度保持装置を前記折戸を構成する一方の扉に設け、折戸の移動時に折り畳んだ際、前記衝合アーム部材が他方の扉面に当接することにより、折戸は平面視でＶ字状の折れ角状態を保持し、前記折戸の折畳み収納時に前記衝合アーム部材が前記バネ部材の付勢力に抗して扉側に没入することを特徴とする間仕切り折戸が提供される。
【００１６】
請求項６記載の本発明として、ヒンジ部材により折畳み自在に連結された二枚一組の間仕切り用折戸を、折り畳んで移動させる際に、平面視でＶ字状の折れ角状態に保持するために前記折戸を構成する扉に設けられる角度保持装置であって、
前記角度保持装置は、前記扉に固定されるベース部材と、このベース部材に対して鉛直軸回りに揺動可能に設けられた衝合アーム部材と、前記衝合アーム部材を外方に向けて付勢し突出状態に保持するためのバネ部材とから構成されることを特徴とする間仕切り用折戸の角度保持装置が提供される。
【発明の効果】
【００１７】
以上詳説のとおり、本発明においては、ランナ用レールとして汎用品を使用することができるようになるとともに、折戸を完全に折畳んでコンパクトに収納した際には角度保持装置が完全に外部から隠蔽されるため、見栄えも良好となる。
【発明を実施するための最良の形態】
【００１８】
以下、本発明の実施の形態について図面を参照しながら詳述する。
図１は本発明に係る間仕切り折戸１の正面図であり、図２は図１のII−II線矢視図、図３は間仕切り折戸１の平面図である。
【００１９】
前記間仕切り折戸１（以下、単に折り戸という。）は、図１に示されるように、ヒンジ部材８により連結され、展開かつ折畳み自在とされる二枚一組の扉６，６から構成される。前記扉６，６の上端部にそれぞれ上ランナ３、３が配設され、天井側に配置された上レール２に沿って走行案内されるとともに、前記扉６，６の下端部にそれぞれ下ランナ５，５が配設され、床側に配置された下レール４に沿って走行案内されるようになっている。
【００２０】
前記ヒンジ部材８は、詳細には図４に示されるように、へ字状を成す一対の板材８Ａ、８Ｂをピン９により連結した部材であり、折戸１の上端面及び下端面において扉６，６に跨るように配設され、ビス孔８ａ、８ｂから螺入されたビスによって固定されるようになっている。なお、前記扉６，６の連結は、上記へ字状を成す一対の板材８Ａ、８Ｂによるもの以外に、扉６，６の側縁同士を連結する蝶番状のものであってもよい。
【００２１】
前記折戸１において、ヒンジ部材８の隣接位置にそれぞれ、前記折戸１を折り畳んで移動させる際に、平面視でＶ字状の折れ角状態に保持することができる角度保持装置１０が設けられている。
【００２２】
前記角度保持装置１０は、扉６に固定されるベース部材１１と、このベース部材に対して鉛直軸回りに揺動可能に設けられた衝合アーム部材１３と、前記衝合アーム部材１３を外方に向けて付勢し突出状態に保持するためのバネ部材１２とから構成されている。
【００２３】
さらに詳しくは、図５に示されるように、前記角度保持装置１０のうち、ベース部材１１は、長手方向両端部にそれぞれネジ孔１１ａ、１１ｂがそれぞれ設けられた板状部材であり、一方側端部には支軸１５が植設され、前記衝合アーム部材１３が鉛直軸回りに揺動可能に支持されている。また、前記衝合アーム部材１３の突出側を前面として、後側には前記ベース部材１１の側縁から延在してストッパー後壁１１ｃが形成されているとともに、前側には前記ベース部材１１の側縁から延在してストッパー前壁１１ｄが形成されている。従って、前記衝合アーム部材１３は、前記ストッパー後壁１１ｃとストッパー前壁１１ｄとに当接してそれ以上の回動が阻止される範囲で揺動可能となっている。
【００２４】
前記衝合アーム部材１３は、前記支軸１５に一端が揺動可能に支持された板状部材とされ、先端部分には樹脂製の衝合ブロック１６が設けられているとともに、先端側内側縁部分には前記バネ部材１２の一端が掛止するための切欠き部１３ａが形成されている。なお、本例では衝合アーム部材１３として板状部材を用いたため、先端部分に樹脂製の衝合ブロック１６を設けたが、前記衝合アーム部材１３がブロック状部材である場合には、先端部分に樹脂のキャップ材を設けるようにしてもよい。また、衝合アーム部材１３自体が樹脂製の場合には、前記樹脂製衝合ブロック、樹脂製キャップは省略することができる。
【００２５】
前記バネ部材１２は、前記支軸１５に巻回部を外嵌させて設置されたコイルバネであり、一方端が前記衝合アーム部材１３の切欠き部１３ａに掛止されるとともに、他端がベース部材１１のストッパー後壁１１ｃに当接させて配置されることにより、前記衝合アーム部材１３を外方に向けて付勢し突出状態に保持するようになっている。
【００２６】
前記角度保持装置１０は、図４に示されるように、各扉６，６の上面に前記ベース部材１１を設置可能な寸法の切欠き部６ａを形成し、この切欠き部６ａ内に固定ネジ１４，１４により取り付けられる。
【００２７】
かかる角度保持装置１０を備えた折戸１においては、各折戸１，１…を平面内に並べて空間を間仕切りした状態では図３に示されるように、前記衝合アーム部材１３が、バネ部材１２の付勢力により扉６，６の折り畳み方向側に突出した状態となっている。
【００２８】
この状態から折戸１を収納するために、図６に示されるように、各折戸１を折り畳んで移動させると、前記衝合アーム部材１３，１３同士が当接することにより、折戸１は平面視でＶ字状の折れ角状態を保持するため、上レール２に沿って安定して移動できるようになる。
【００２９】
そして、移動後に前記折戸１を収納する際には、図７に示されるように、ランナ３，３同士がほぼ接触する状態まで折り畳むと、前記衝合アーム部材１３，１３が当接状態のまま前記バネ部材１２の付勢力に抗して夫々扉６側に没入するためコンパクトに収納できるようになる。
【００３０】
ところで、上記形態例では、図７に示されるように、折戸１を折り畳んだ状態で、扉６，６同士をほぼ密着させ得るものとはなっていないが、折戸１の収納容積をより縮小化した場合には、前記扉６，６同士を連結する前記ヒンジ部材８と、前記ランナ３を変更することで達成される。
【００３１】
具体的には、図８及び図９に示されるように、ランナとしてレール走行部材のレール方向寸法が前記扉６の厚み寸法以下とされるランナ１９を用いるとともに、前記ヒンジ部材として図８に示されるような、扉６の折り畳み時に扉同士をほぼ密着させ得るヒンジ部材２０を使用すればよい。
【００３２】
上記ランナ１９は、水平ローラ式ランナの例であるが、レール内の走行する水平ローラ１９ａのレール方向寸法が、図９に示されるように、扉６の厚み寸法となっている。なお、扉６，６同士をほぼ密着させ得るランナとしては、図３に示される車輪式のランナであっても、例えば２輪構造とすることでレール走行部材のレール方向寸法を前記扉６の厚み寸法以下することができればよい。
【００３３】
一方、前記ヒンジ部材２０は、図８に示されるように、扉６、６側に夫々取り付けた断面Ｊ字状の回動片２０ａ、２０ａと、扉６，６が折畳み可能なように前記回動片２０ａ、２０ａを結合する継手部材２０ｂとからなるもので、図１０に示されるように、上記ランナ１９及びヒンジ部材２０を使用することにより、折戸１の扉６，６同士がほぼ密着する状態まで折り畳むことが可能となる。
【００３４】
（他の形態例）
(1)上記形態例では、床側にも下レール４を配設し、この下レール４に沿って案内される下ランナ５を設けることとしたが、下レール４は省略することも可能である。
(2)上記形態例では、扉６の上面に前記角度保持装置１０を配置したが、扉６の下面に角度保持装置１０を配置するようにしても良いし、扉６の上面及び下面の両方に設けるようにしてもよい。
(3)本発明は、移動時には平面視でＶ字状の折れ角状態を保持し、かつ収納時には場所を取らずコンパクトに収納する必要性のある間仕切り戸に対して好適とされるものであるが、クローゼット用折戸などを含め、折戸一般に適用することが可能である。
【００３５】
(4)上記形態例では、衝合アーム部材１３を外方に付勢するバネ部材１２として、前記支軸１５に巻回部を外嵌させて設置されたコイルバネとしたが、衝合アーム部材１２を外方に付勢することができれば如何なる設置構造であってもよく、かつ板バネ等、他のバネ手段であってもよい。
(5)上記形態例では、扉６，６の両方に角度保持装置１０，１０を配設し、それぞれの衝合アーム部材１３，１３を当接させるようにしたが、扉６、６の一方側に前記角度保持装置１０を設け、衝合アーム部材１３を扉６に当接させるようにしてもよい。
【図面の簡単な説明】
【００３６】
【図１】本発明に係る間仕切り折戸１の略正面図である。
【図２】図１のII−II線矢視図である。
【図３】間仕切り折戸１の平面図である。
【図４】扉６，６の連結部分を示す、(A)は平面図、(B)は正面図である。
【図５】角度保持装置１０を示す、(A)は平面図、(B)は正面図である。
【図６】折戸１の移動状態を示す平面図である。
【図７】折戸１の収納状態を示す平面図である。
【図８】ランナ及びヒンジ部材の変形例を示す折戸平面図である。
【図９】そのランナ構造を示す側面図である。
【図１０】ランナ及びヒンジ部材の変形例を使用した場合の(A)は移動状態を示す平面図、(B)は収納状態を示す平面図である。
【図１１】従来の角度保持装置５１の正面図である。
【図１２】従来の角度保持装置５１の平面図である。
【図１３】従来の角度保持装置５１の側面図である。
【符号の説明】
【００３７】
１…間仕切り折戸、２…上レール、３…上ランナ、４…下レール、５…下ランナ、６…扉、８…ヒンジ部材、１０…角度保持装置、１１…ベース部材、１２…バネ部材、１３…衝合アーム部材、１５…支軸、１６…樹脂製ブロック
【図１】
2005179991.tif 000003
【図２】
2005179991.tif 000004
【図３】
2005179991.tif 000005
【図４】
2005179991.tif 000006
【図５】
2005179991.tif 000007
【図６】
2005179991.tif 000008
【図７】
2005179991.tif 000009
【図８】
2005179991.tif 000010
【図９】
2005179991.tif 000011
【図１０】
2005179991.tif 000012
【図１１】
2005179991.tif 000013
【図１２】
2005179991.tif 000014
【図１３】
2005179991.tif 000015